(57)【要約】      （修正有）【課題】構造が簡単で、折り畳み可能であり、便利に使うことができるハンガー掛けを提供する。【解決手段】ハンガー掛けは、「エ」字状ベース１と、前記「エ」字状ベースに固定されている２つの支持部２と、前記支持部に装着されている１つ以上の係合部４と、前記２つの支持部の間に形成され且つ前記係合部に折り畳み可能に係合されている物掛け台３を含む。前記係合部には、前記物掛け台を挿入する穴部と、前記係合部を前記支持部の箇所に固定するロック部が形成されている。前記「エ」字状ベースは、連結棒１２と、前記連結棒の両端に折り畳み可能に装着されている支持脚１１を含む。前記支持脚には、支持脚を折り畳み状態或いは展開状態に位置する時に支持脚をロックするリミッターが形成されている。【選択図】図１
0003169702.tif 000002
【実用新案登録請求の範囲】
【請求項１】
「エ」字状ベースと、前記「エ」字状ベースに固定されている２つの支持部と、を含むハンガー掛けであって、
前記支持部に装着されている少なくとも１つの係合部と、前記２つの支持部の間に形成され且つ前記係合部に折り畳み可能に係合されている物掛け台と、をさらに含み、
前記「エ」字状ベースは、連結棒と、該連結棒の両端に折り畳み可能に装着されている支持脚と、を含み、
前記支持脚には、支持脚を折り畳み状態或いは展開状態に位置する時に支持脚をロックするリミッターが形成されていることを特徴とするハンガー掛け。
【請求項２】
前記支持脚は、固定部と、２つの折り畳み部と、を含み、前記折り畳み部は、ヒンジによって前記固定部に回転可能に係合され、前記リミッターは、ヒンジの回転軸に垂直する前記固定部の内壁に形成されている突出点であることを特徴とする請求項１に記載のハンガー掛け。
【請求項３】
前記係合部には、前記物掛け台を挿入する穴部と、前記係合部を前記支持部の箇所に固定するロック部が形成され、前記係合部の穴部の両側壁には、外部へ延びる２つの延長部が形成され、前記延長部には、貫通溝が形成されていることを特徴とする請求項１に記載のハンガー掛け。
【請求項４】
前記物掛け台は、２つの横向棒と、前記２つの横向棒の間に設置されている複数の水平棒と、を含み、前記穴部に挿入する前記横向棒の一端には、前記貫通溝に対応する貫通穴が形成され、前記貫通溝と貫通穴には、ピンが挿入されていることを特徴とする請求項３に記載のハンガー掛け。
【請求項５】
前記横向棒に２つのフックが形成され、前記係合部の穴部の上側内壁と下側内壁にフック掛け部が形成されていることを特徴とする請求項４に記載のハンガー掛け。
【請求項６】
前記係合部の穴部の下側内壁が上方へ傾斜するように形成されていることを特徴とする請求項５に記載のハンガー掛け。
【請求項７】
前記支持脚に全方向移動ローラが形成されていることを特徴とする請求項１に記載のハンガー掛け。
【請求項８】
前記ハンガー掛けは、前記支持部に装着されている複数の副掛け部をさらに含み、前記副掛け部は、掛け用突出部と、前記支持部に装着される装着部を含むことを特徴とする請求項１に記載のハンガー掛け。
【請求項９】
前記装着部は、上側管体と下側管体を含み、前記上側管体と下側管体には、溝部が形成されていることを特徴とする請求項８に記載のハンガー掛け。
【考案の詳細な説明】
【技術分野】
【０００１】
本考案は、生活用品に関し、特にハンガー掛けに関する。
【背景技術】
【０００２】
現在、市場では様々なハンガー掛けが販売されている。構造が簡単であり、機能が単一であるハンガー掛けは、小さい衣類などを掛けることができるが、布団カバー或いはソファーカバーのような大きいものを掛けることができない。大型ハンガー掛けは、サイズが大きいので、多くのスペースを占める。使わない場合でも多くのスペースを占めるので、面積が小さい部屋での使用が不便である。
【考案の概要】
【考案が解決しようとする課題】
【０００３】
本考案の主な目的は、構造が簡単であり、折り畳み可能であり、便利に使うことができるハンガー掛けを提供することにある。
【課題を解決するための手段】
【０００４】
上記課題を解決するために本考案では、「エ」字状ベースと、前記「エ」字状ベースに固定されている２つの支持部と、を含むハンガー掛けを提供する。前記ハンガー掛けは、前記支持部に装着されている係合部と、前記２つの支持部の間に形成され且つ前記係合部に折り畳み可能に係合されている物掛け台をさらに含む。前記「エ」字状ベースは、連結棒と、別々に前記連結棒の両端に折り畳み可能に装着されている２つの支持脚を含む。前記支持脚には、支持脚を折り畳み状態或いは展開状態に位置する時に支持脚をロックするリミッターが形成されている。
【０００５】
上述するハンガー掛けにおいて、前記支持脚が固定部と、２つの折り畳み部を含む。前記折り畳み部は、ヒンジによって前記固定部に回転可能に係合されている。前記リミッターは、ヒンジの回転軸に垂直に設けられている前記固定部の内壁に形成されている突出点である。
【０００６】
上述するハンガー掛けにおいて、前記係合部に前記物掛け台を挿入する穴部と、前記係合部を前記支持部の箇所に固定するロック部が形成されている。前記係合部の穴部の両側壁には、外部へ延びる２つの延長部が形成され、前記延長部には、貫通溝が形成されている。
【０００７】
上述するハンガー掛けにおいて、前記物掛け台が２つの横向棒と、前記２つの横向棒の間に設置されている複数の水平棒を含む。前記穴部に挿入する前記横向棒の一端には、前記貫通溝に対応する貫通穴が形成され、前記貫通溝と貫通穴には、ピンが挿入されている。
【０００８】
上述するハンガー掛けにおいて、前記横向棒に２つのフックが形成され、前記係合部の穴部の上側内壁と下側内壁にフック掛け部が形成されている。
【０００９】
上述するハンガー掛けにおいて、前記係合部の穴部の下側内壁が上方へ傾斜するように形成されている。
【００１０】
上述するハンガー掛けにおいて、前記支持脚に全方向移動ローラが形成されている。
【００１１】
上述するハンガー掛けは、前記支持部に装着されている複数の副掛け部をさらに含み、前記副掛け部は、掛け用突出部と、前記支持部に装着される装着部を含む。
【００１２】
上述するハンガー掛けにおいて、前記装着部が上側管体と下側管体を含み、前記上側管体と下側管体には溝部が形成されている。
【考案の効果】
【００１３】
上述する本考案のハンガー掛けは、構造が簡単であり、不使用時に物掛け台と支持脚を折り畳むことができるので、スペースが節約でき、収納と使用が便利になる。前記ハンガー掛けに複数の物掛け台と副掛け部が形成されているので、使用者が必要に応じて容易に組み立てることができ、多くのものを掛けることができる。前記支持脚に全方向移動ローラが形成されているので、ハンガー掛けを自由に動かすことができる。前記支持脚にリミッターが形成され、前記全方向移動ローラに制動手段が形成されているので、前記ハンガー掛けを安定にすることができる。
【図面の簡単な説明】
【００１４】
【図１】本考案の実施形態に係るハンガー掛けを示す図である。
【図２】図１のＡ位置を拡大して示す図である。
【図３】本考案の実施形態に係るハンガー掛けの係合部を示す図である。
【図４】本考案の実施形態に係るハンガー掛けの水平棒を示す図である。
【図５】図４のＢ位置を拡大して示す図である。
【図６】本考案の実施形態に係るハンガー掛けの支持脚を示す図である。
【図７】本考案の実施形態に係るハンガー掛けの副掛け部を示す図である。
【考案を実施するための形態】
【００１５】
以下、本考案に添付される図示を参照しながら、本考案の実施形態に係る折り畳みハンガー掛けに対して詳しく説明する。
【００１６】
図１と図２に示すように、本考案の実施形態に係る折り畳みハンガー掛けは、「エ」字状ベース１と、２つの支持部２と、物掛け台３と、係合部４と、を含む。
【００１７】
前記「エ」字状ベース１は、連結棒１２と、別々に前記連結棒１２の両端に装着されている２つの折り畳み式支持脚１１と、を含む。前記２つの支持部２は、別々に前記２つの支持脚１１の上に装着されている。組み立てる場合、前記支持脚１１にねじ穴部を形成し、前記支持部２の端末にネジ部を形成する後、前記支持部２のネジ部を前記支持脚１１にねじ穴部に係合させることにより、前記支持部２を前記支持脚１１に装着することができる。
【００１８】
前記２つの支持部２には、複数の係合部４が装着されている。前記支持部２に対称に装着される２つの係合部４によって、前記物掛け台３を２つの支持部２に装着することができる。前記物掛け台３は、２つの横向棒３１と、前記２つの横向棒３１の間に形成されている複数の水平棒３２と、を含む。前記係合部４には、前記横向棒３１を挿入する穴部４１と、前記係合部４を前記支持部２の箇所に固定するロック部４２が形成されている。前記ロック部４２をロックする場合、前記係合部４の内壁が前記支持部２に圧接し、係合部４と支持部２との間に大きい摩擦力が発生するので、前記物掛け台３に重いものを掛けることができる。
【００１９】
図３〜図５に示すように、前記横向棒３１には、２つのフック３１２が形成され、前記係合部４の穴部４１の上側内壁と下側内壁には、別々にフック掛け部４１２が形成されている。前記横向棒３１を前記穴部４１に挿入する場合、前記フック３１２が前記フック掛け部４１２に係合される。前記フック３１２が前記フック掛け部４１２に係合されるので、係合部４と横向棒３１を硬く係合させることができる。
【００２０】
前記係合部４の穴部４１の両側壁には、外部へ延びる２つの延長部４３が形成され、前記延長部４３には、貫通溝４１１が形成されている。前記穴部４１に挿入する前記横向棒３１の一端には、前記貫通溝４１１に対応する貫通穴３１１が形成されている。前記貫通溝４１１と貫通穴３１１には、ピン７が挿入されている。前記横向棒３１は、前記ピン７によって前記穴部４１の内に固定されている。前記横向棒３１を前記穴部４１から出す場合、前記ピン７によって横向棒３１と延長部４３が回転可能に係合されるので、物掛け台３を折り畳むことができる。
【００２１】
前記係合部４の穴部４１の下側内壁が上方へ傾斜するように形成されているので、前記物掛け台３を上方に支持させることができる。本考案の折り畳みハンガー掛けに複数の物掛け台３を設置し、前記係合部４に物掛け台３を固定する複数の穴部４１を形成することができる。本考案の係合部４に２つの穴部４１が対称に形成されているので、所望の穴部４１に掛け台３を装着することができる。
【００２２】
図１と図６に示すように、前記支持脚１１は、固定部１１１と、２つの折り畳み部１１２と、を含む。前記折り畳み部１１２は、ヒンジによって前記固定部１１１に回転可能に係合されている。
【００２３】
前記支持脚１１には、複数の全方向移動ローラ５が形成されている。本考案の支持脚１１の折り畳み部１１２と固定部１１１に全方向移動ローラ５が１つずつ形成されているので、折り畳みハンガー掛けを自由に動かすことができる。且つ、１つ以上の全方向移動ローラ５に制動手段が形成されているので、折り畳みハンガー掛けを使う時に所定の位置に静止させることができる。
【００２４】
前記支持脚１１の固定部１１１と折り畳み部１１２が繋げられている箇所には、リミッター１３が形成されている。前記支持脚１１を折り畳み状態或いは展開状態に位置する場合、前記リミッター１３が前記支持脚１１をロックする。本考案のリミッター１３は、ヒンジの回転軸に垂直に設けられている前記固定部１１１の内壁に形成されている突出点である。
【００２５】
図１と図７に示すように、本考案の折り畳みハンガー掛けに複数の副掛け部６がさらに形成されている。前記物掛け台３の表面に防滑凹凸部が形成され、前記副掛け部６を物掛け台３に装着することができるので、小さいものを多く掛けることができる。前記副掛け部６は、掛け用突出部６１と、前記支持部２に装着される装着部６２と、を含む。前記装着部６２は、上側管体６２１と下側管体６２２を含む。前記上側管体６２１と下側管体６２２には、溝部が形成されている。
【００２６】
本考案の折り畳みハンガー掛けに複数の物掛け台３と副掛け部６が形成されているので、使用者が自由に組み立てられ、多くのものを掛けることができる。且つ、全方向移動ローラ５が形成されているので、折り畳みハンガー掛けを自由に動かすか或いは静止させることができる。折り畳みハンガー掛けを使わない場合、前記物掛け台３と支持脚１１を折り畳むことができるので、スペースを節約し、収納と使用を便利にすることができる。前記係合部４の位置を調節することにより、前記物掛け台３の高度を調節することができる。本考案の折り畳みハンガー掛けは、構造が簡単であり、利便性が高いという利点がある。
【００２７】
上述のように、本考案はいくつかの実施例を開示しているが、本考案の保護範囲を限定するものではない。当該技術分野を熟知する者が、本考案の主旨及び範囲を逸脱せずに行う各種の改良又は変更は、本考案の保護範囲に当然含まれるものとする。
【符号の説明】
【００２８】
１  「エ」字状ベース
１１  支持脚
１１１  固定部
１１２  折り畳み部
１２  連結棒
２  支持部
３  物掛け台
３１  横向棒
３１１  貫通穴
３１２  フック
３２  水平棒
４  係合部
４１  穴部
４１１  貫通溝
４１２  フック掛け部
４２  ロック部
４３  延長部
５  全方向移動ローラ
６  副掛け部
６１  掛け用突出部
６２  装着部
６２１  上側管体
６２２  下側管体
７  ピン
【図１】
0003169702.tif 000003
【図２】
0003169702.tif 000004
【図３】
0003169702.tif 000005
【図４】
0003169702.tif 000006
【図５】
0003169702.tif 000007
【図６】
0003169702.tif 000008
【図７】
0003169702.tif 000009